(57)【要約】      （修正有）【課題】１個のサンドイッチを容易に取り出すのに十分な大きさの開口を形成でき、しかも開封時にサンドイッチが飛び出しにくい包装袋を提供する。【解決手段】略等脚台形状の食品収容部を有する２枚のプラスチックシートである第１シート２および第２シート３と、等脚台形状の短辺側に形成された耳部１０と、第２シートの収納されるサンドイッチの垂直面に当たる領域において第１シートに対向した面に等脚台形状の短辺７に垂直に設けられたカットテープ４と、等脚台形状の短辺側のカットテープ端部側において第２シートおよびカットテープに設けられた切り込み部５を有し、カットテープの幅は等脚台形状の短辺の長さの３０％以上７０％以下であり、切り込み部の両端部はカットテープの外部にある。【選択図】図１
0003233872.tif 000002
【実用新案登録請求の範囲】
【請求項１】
略等脚台形状の食品収容部を有する２枚のプラスチックシートである第１シートおよび第２シートと、等脚台形状の短辺側に形成された耳部と、第２シートの収納されるサンドイッチの垂直面に当たる領域において第１シートに対向した面に等脚台形状の短辺に垂直に設けられたカットテープと、等脚台形状の短辺側のカットテープ端部側において第２シートおよびカットテープに設けられた切り込み部を有し、カットテープの幅は等脚台形状の短辺の長さの３０％以上７０％以下であり、切り込み部の両端部はカットテープの外部にあるサンドイッチ包装用袋。
【請求項２】
カットテープの幅は１個のサンドイッチの幅に対応した３５ｍｍ以上５０ｍｍ以下である請求項１に記載のサンドイッチ包装用袋。
【請求項３】
カットテープの左右側部に沿って形成された第２シートとの接続部と、接続部同士の間に設けられた非接続部を有する請求項１または請求項２に記載のサンドイッチ包装用袋。
【考案の詳細な説明】
【技術分野】
【０００１】
この考案は、直角三角形状のサンドイッチを包装するためのプラスチックフィルム製の食品包装体に関する。
【背景技術】
【０００２】
直角三角形の形状をしたサンドイッチは、プラスチックフィルムでできた包装袋に収納され、店頭に陳列されている。特許文献１、特許文献２、特許文献３には、このような直角三角形のサンドイッチを収納する包装袋が記載されている。
【０００３】
特許文献１のサンドイッチ用包装体は、第１プラスチックシートと第２プラスチックシートを有し、第１プラスチックシートと第２プラスチックシートは同形の等脚台形部を有し、等脚台形部の斜辺部および上辺部には第１プラスチックシートと第２プラスチックシートの接続部が所定の幅で形成され、等脚台形部の下辺部は第１プラスチックシートと第２プラスチックシートが接続されていない開口部となっている。そして、中央部にはカットテープが設けられ、開封を容易にしている。
【０００４】
特許文献２には、上辺シール部の幅と同程度の幅広な開封用フィルム片が設けられたサンドイッチ用包装袋が記載されている。
【０００５】
さらに、特許文献３には、袋体にカットテープをシール手段により設けてなる包装用袋であって、シール手段により形成されるシール部は、所定間隔をおいて夫々直線状に形成された外側シール部と、該外側シール部の内側位置に直線状に形成された少なくとも１本の内側シール部とからなり、相隣り合う外側シール部と内側シール部との間に引裂ガイド領域が形成されている包装用袋が記載されている。特許文献３ではカットテープという語が使用されているが、開封補助帯としてのカットテープの本来の機能を果たすのは内側シール部の幅の部分のみである。
【先行技術文献】
【特許文献】
【０００６】
【特許文献１】特開２０１３−１６６５６６号公報
【特許文献２】実用新案登録第３０８４５９２号公報
【特許文献３】特開２００４−３１５０６４号公報
【考案の概要】
【考案が解決しようとする課題】
【０００７】
特許文献１〜特許文献３に記載のサンドイッチ用包装材にはカットテープが設けられているので、このカットテープを引くことによって開封し、その開口部より、中のサンドイッチを取り出すことができる。しかし、特許文献１の発明ではカットテープにより開封できる幅は限られていて、厚みのあるサンドイッチを簡単に取り出すことはできない。特許文献３の発明ではやや幅広いカットテープが使用されているが、同文献の請求項１に「外側シール部と内側シール部との間に引裂ガイド領域が形成されている」と記載されているように、通常の意味でのカットテープとして作用するのはより狭い内側シール部の幅の部分のみであり、開封時の開口部の幅も狭いものである。
【０００８】
一方、特許文献２の発明では幅広の開封用フィルム片がカットテープとして使用されているので、包装されているサンドイッチの幅全体にわたる大きな開口を得ることができる。しかし、このように大きな開口が形成されると、開封時に消費者が強く引っ張り過ぎたときに、勢いで中のサンドイッチが外へ飛び出して落下する恐れがある。
【０００９】
この考案は、サンドイッチを容易に取り出すのに十分な大きさの開口を形成でき、しかも開封時にサンドイッチが飛び出しにくい包装袋を提供することを目的とする。
【課題を解決するための手段】
【００１０】
上記の課題を解決するために、この考案のサンドイッチ包装用袋は、略等脚台形状の食品収容部を有する２枚のプラスチックシートである第１シートおよび第２シートと、等脚台形状の短辺側に形成された耳部と、第２シートの収納されるサンドイッチの垂直面に当たる領域において第１シートに対向した面に等脚台形状の短辺に垂直に設けられたカットテープと、等脚台形状の短辺側のカットテープ端部側において第２シートおよびカットテープに設けられた切り込み部を有し、カットテープの幅は等脚台形状の短辺の長さの３０％以上７０％以下であり、切り込み部の両端部はカットテープの外部にある。カットテープの幅は１個のサンドイッチの幅に対応した良好な開口を得ることができるように３５ｍｍ以上５０ｍｍ以下であることが好ましく、また、カットテープの左右側部に沿って形成された第２シートとの接続部と、接続部同士の間に設けられた非接続部を有することが好ましい。
【考案の効果】
【００１１】
この考案のサンドイッチ包装用袋は、１個分のサンドイッチを容易に取り出すのに十分な大きさの開口を形成でき、しかも開封時に中のサンドイッチが飛び出しにくい。
【図面の簡単な説明】
【００１２】
【図１】サンドイッチ包装用袋の実施形態を説明する正面図である。
【図２】サンドイッチ包装用袋を示す正面図である。
【図３】同背面図である。
【図４】同平面図である。
【図５】同底面図である。
【図６】同右側面図である。
【図７】同左側面図である。
【図８】同Ａ−Ａ断面図である。
【図９】同Ｂ−Ｂ断面図である。
【図１０】サンドイッチ包装用袋の使用状態を示す参考斜視図である。
【図１１】サンドイッチ包装用袋の開封状態を示す参考斜視図である。
【考案を実施するための形態】
【００１３】
本考案を実施するための形態について、図面に基づいて詳細に説明する。図１はサンドイッチ包装用袋の実施形態を示す正面図である。図１ではカットテープおよびその接続部分も図示している。また、図２はサンドイッチ包装用袋の形状を示す正面図、図３は同背面図、図４は同平面図、図５は同底面図、図６は同右側面図、図７は同左側面図、図８は同Ａ−Ａ断面図、図９は同Ｂ−Ｂ断面図である。
【００１４】
サンドイッチ包装用袋１は、ほぼ外形が同じ第１シート２と第２シート３の重ね合わせにより形成される。第１シート２および第２シート３はいずれも薄く透明なプラスチックフィルムであり、サンドイッチ包装用袋１も印刷が施されていなければ全体的に透明である。
【００１５】
サンドイッチ包装用袋１は、上辺７が短辺であり、下辺９が長辺である等脚台形の形状をした食品収容部６を有する。この食品収容部６において、上辺７（短辺）および側部の斜辺８では第１シート２と第２シート３が接続されている。一方、下辺９（長辺）では第１シート２と第２シート３は接続されていない。したがって、食品収容部６は下辺９のみが開いた袋形状になっており、この中にサンドイッチを収容できるようになっている。この食品収容部６の形状は収容されるサンドイッチの形状に対応している。このサンドイッチ包装用袋には、直角三角形のサンドイッチが収容されるが、上辺７はサンドイッチの厚さとほぼ同じか若干広めになっており、斜辺８の垂線に対する角度θはサンドイッチの頂点の角度の半分になっている。多くの場合では、正方形のパンを対角線に沿って切断するので、得られるサンドイッチは二等辺直角三角形となり、本例においても角度θは概ね２２．５°である。
【００１６】
食品収容部６の上部には上辺７（短辺）に続く耳部１０が設けられ、下部には折り畳み部１１が設けられている。この耳部１０と折り畳み部１１の形状には特に制限はないが、ここでは耳部１０は略長方形状であり、左右両上端角部に丸みが付けられている。折り畳み部１１は下辺が短辺となる略等脚台形になっている。
【００１７】
図７は第１シートを示す正面図、図８は第２シートを示す背面図である。第１シートと第２シートはほぼ同じ形状であり、食品収容部を形成する等脚台形状の部分と、その上の耳部を形成する略長方形状の部分と、下の折り畳み部を形成する略等脚台形状の部分を有する。そして、第２シートには、第１シートに対向した面にカットテープ４が取り付けられている。カットテープ４は、上辺７に対して垂直である。そして、第１シートの中央線付近に沿って設けられる。後述するように、等脚台形状の中で上辺７およびその両端点に垂直な線を辺とする長方形状の領域は、収納されるサンドイッチの垂直面に当たることになるが、この長方形状の領域内にカットテープ４を設ける。この長方形状の領域内であれば任意の位置を選択できるが、本例では領域の中心線にカットテープ４の中心線を合わせるように配置している。
【００１８】
カットテープ４の幅は従来のサンドイッチ包装用袋のものよりも広い。この幅は包装されるサンドシールの幅に対応して設定される。等脚台形状の短辺の長さが食品収容部の幅であり、包装されるサンドシール全体の幅に対応し、カットテープの幅は等脚台形状の短辺の長さの３０％以上７０％以下に設定されている。また、カットテープの幅は３５ｍｍ以上５０ｍｍ以下であることが好ましい。包装サンドイッチの幅は６０〜１１０ｍｍ程度とかなり広い範囲のものがあるが、一つの包装体には複数個のサンドイッチが収納されており、１個のサンドイッチの幅にはあまり差がない。カットテープの幅が３５ｍｍ以上５０ｍｍ以下であれば、開封時には１個のサンドイッチを取り出すのに十分な開口を得ることができる。特にカットテープの幅を４０ｍｍとすることによって、多くの場合の１個のサンドイッチの幅に対応した良好な開口を得ることができる。
【００１９】
カットテープ４は接着剤によって第２シート３に取り付けることもできるが、ここでは熱圧着により接続している。そして、本例では、カットテープ４の左右側部に沿って第２シート３と接続される幅５ｍｍ程度の接続部１２が形成され、接続部同士の間には第２シート３と接続されていない非接続部１３が形成されている。この考案では比較的幅の広いカットテープ４を使用するので、カットテープ４の全面を第２シート３に熱圧着しようとすると第２シート３やカットテープ４が熱によって収縮し、形状が歪んだり、美観を損ねる恐れがある。本例のように両側部の接続部１２とその間の非接続部を設けることにより、熱圧着の面積を小さくし、しかも強固に接続することができる。なお、カットテープ４が広い場合には、左右の接続部の間に第３の接続部を設けてもよい。
【００２０】
カットテープ４の上部は上辺７を越えて、耳部１０まで延びている。そして、カットテープ４の上側、すなわち、耳部１０でカットテープ４の幅より長い切り込み部５が形成されている。長い切り込み部５の中央部はカットテープ４に垂直な直線であり、その両端部にはカットテープ４の外側部上端に近づくような傾斜を有する曲線となっている。切り込み部５の両端部はカットテープの外側まで伸びている。
【００２１】
ついで、このサンドイッチ包装用袋の使用方法について説明する。サンドイッチ包装用袋の下部は開いているので、ここからサンドイッチｘを挿入する。サンドイッチｘの直角三角形の頂点側から挿入し、奥まで入れる。このとき、サンドイッチｘの垂直な面が第２シート３に当たるような向きで入れる。そして、サンドイッチ包装用袋の下部の余った部分をキャラメル折りのようにして折り畳み、粘着テープやシールなどで止めれば包装が完了する。図１０はサンドイッチ包装用袋の使用状態を示す参考斜視図である。
【００２２】
三角サンドイッチは、通常は正方形または長方形の２枚またはそれ以上のパンの間に具材を挟みこむことによって作られ、その後、対角線に沿って２つに切断される。こうして、直角三角形のサンドイッチができる。斜辺に沿った面が切断面であり、この面ではサンドイッチの具材がよく見えるようになっている。第１シート３は透明であるので、この包装体を店頭に陳列したときに、外から具材がよく観察できる。
【００２３】
このサンドイッチ包装用袋は、切り欠き部５を指でつまんで、下向きに引き下げて開封する。これによって、第２シート３はカットテープ４の両側部に沿って切断されていく。図１１は包装サンドイッチの開封状態を示す参考斜視図である。カットテープ４の幅はサンドイッチの垂直面の幅に対して限定されたものであるので、開封により形成される開口は大きすぎない。したがって、勢いよく開封しても、開口部からサンドイッチが飛び出すおそれが小さい。しかも、１個のサンドイッチを取り出すのに十分な大きさの開口であるので、この開口部に指を入れてそのままサンドイッチを簡単に取り出すことができる。カットテープ４を引いた後に、さらに残った包装材を引き剥がすような作業は必要がない。
【符号の説明】
【００２４】
１．サンドイッチ包装用袋
２．第１シート
３．第２シート
４．カットテープ
５．切り込み部
６．食品収容部（等脚台形部）
７．上辺
８．斜辺
９．下辺 
１０．耳部
１１．折り畳み部
１２．接続部
１３．非接続部
ｘ．サンドイッチ
【図１】
0003233872.tif 000003
【図２】
0003233872.tif 000004
【図３】
0003233872.tif 000005
【図４】
0003233872.tif 000006
【図５】
0003233872.tif 000007
【図６】
0003233872.tif 000008
【図７】
0003233872.tif 000009
【図８】
0003233872.tif 000010
【図９】
0003233872.tif 000011
【図１０】
0003233872.tif 000012
【図１１】
0003233872.tif 000013